(57)【要約】【課題】コンピュータコンポーネントの保持装置を提供する。【解決手段】本発明は、ベーストレイと、拡張トレイとを備える保持装置を提供する。ベーストレイは第１ボードを保持し、拡張トレイは第２ボードを保持する。拡張トレイは、ベーストレイ内に装着され、移行メカニズムを有する。移行メカニズムは、第１ボード上の第１コネクタと第２ボード上の第２コネクタとを係合するか、第１コネクタを第２コネクタから取り外す。【選択図】図５Ｂ
2020035741.tif 000002
【特許請求の範囲】
【請求項１】
保持装置であって、
第１部分と第２部分とを有するベーストレイであって、前記第１部分において、第１コネクタを有する第１ボードを保持するベーストレイと、
前記ベーストレイの前記第２部分内に装着されるように構成された拡張トレイであって、前記第１コネクタに面する第２コネクタを有する第２ボードを搭載するように構成された拡張トレイと、を備え、
前記拡張トレイは、前記第２ボードを第１位置と第２位置との間で移行させる移行メカニズムを含み、
前記第１コネクタ及び前記第２コネクタは、前記第１位置において係合し、前記第１コネクタ及び前記第２コネクタは、前記第２位置において係合解除することを特徴とする保持装置。
【請求項２】
前記ベーストレイは、コンピュータシャーシ内に装着され、
前記第１ボードは、グラフィックス処理（ＧＰＵ）ボードであり、
前記第２ボードは、拡張ＰＣＩｅボードであることを特徴とする請求項１に記載の保持装置。
【請求項３】
前記移行メカニズムは、レバーとピンとを有することを特徴とする請求項１に記載の保持装置。
【請求項４】
前記ベーストレイは、ロックメカニズムを含み、前記ロックメカニズムは、前記保持装置をロード位置とアンロード位置との間で移行させるレバーを含み、前記ベーストレイは、前記ロード位置でコンピュータシャーシと係合し、前記保持装置は、前記アンロード位置でコンピュータシャーシから外れることを特徴とする請求項１に記載の保持装置。
【請求項５】
前記ロックメカニズムは、
前記ロックメカニズムの第１端部上に位置する突出部であって、前記コンピュータシャーシの縁部と係合する突出部と、
前記ロックメカニズムの第２端部上に位置するラッチであって、前記ベーストレイ上の開口部に接続するラッチと、
を有することを特徴とする請求項４に記載の保持装置。
【請求項６】
コンピュータシャーシであって、
シャーシボディと、
保持装置と、を備え、
前記保持装置は、
第１部分と第２部分とを有するベーストレイであって、前記第１部分において、第１コネクタを有する第１ボードを保持するベーストレイと、
前記ベーストレイの前記第２部分内に装着されるように構成された拡張トレイであって、前記第１コネクタに面する第２コネクタを有する第２ボードを搭載するように構成された拡張トレイと、を備え、
前記拡張トレイは、前記第２ボードを第１位置と第２位置との間で移行させる移行メカニズムを含み、
前記第１コネクタ及び前記第２コネクタは、前記第１位置において係合し、前記第１コネクタ及び前記第２コネクタは、前記第２位置において係合解除することを特徴とするコンピュータシャーシ。
【請求項７】
前記第１ボードは、グラフィックス処理ユニット（ＧＰＵ）ボードであり、前記第２二ボードは、拡張ＰＣＩｅボードであることを特徴とする請求項６に記載のコンピュータシャーシ。
【請求項８】
前記移行メカニズムは、レバーと、ピンとを有することを特徴とする請求項６に記載のコンピュータシャーシ。
【請求項９】
前記ピンは、前記ベーストレイで固定されることを特徴とする請求項８に記載のコンピュータシャーシ。
【請求項１０】
前記ベーストレイは、ロックメカニズムを有し、前記ロックメカニズムは、
前記保持装置をロード位置とアンロード位置との間で移行させるレバーと、
前記ロックメカニズムの第１端部上に位置する突出部であって、前記シャーシボディの縁部と係合する突出部と、
前記ロックメカニズムの第２端部上に位置するラッチであって、前記ベーストレイ上の開口部に接続するラッチと、を含み、
前記ベーストレイは、前記ロード位置で前記コンピュータシャーシと係合し、前記保持装置は、前記アンロード位置で前記コンピュータシャーシから外れることを特徴とする請求項６に記載のコンピュータシャーシ。
【発明の詳細な説明】
【技術分野】
【０００１】
本発明は、ストレージラックにおけるコンピューティングデバイスの保持装置に関する。
【背景技術】
【０００２】
コンピュータシャーシには、コンピュータコンポーネントの機械的なハウジング（mechanical housing）が設けられている。場合によっては、単一のシャーシが複数のコンポーネントを収容することができ、各コンポーネントは、別のコンポーネントに接続されており、コンポーネント間の電気通信を提供する。この接続は、特定の位置で発生する必要がある。１つのコンポーネントが移動すると、接続障害が発生したり、通信が完全に切断（lapses）したりする可能性がある。コンピュータシャーシは、コンピュータコンポーネントを安定させるための固定手段（secure means）を設けないことが多い。また、コンピュータシャーシ内に２つ以上のコンポーネントが収容されている場合、ユーザは、メンテナンスや交換を行うために１つのコンポーネントを取り外したい場合がある。従来のシステムでは、ユーザは、コンピュータシャーシから全てのコンポーネントを取り外し、適切なコンポーネントを交換し、コンポーネントをコンピュータシャーシに戻さなければならない。これは、１つのコンポーネントだけを移動させたいユーザにとって非効率であり、不便である。
【０００３】
よって、コンピュータシャーシに収容されたコンポーネントを安定させて通信リンクを保持する手段が必要とされている。例示的な装置は、全てのコンポーネントを除去することなく、個々のコンポーネントを除去することができる。
【発明の概要】
【発明が解決しようとする課題】
【０００４】
本発明は、電子コンポーネントを固定する保持装置を提供することを目的とする。
【課題を解決するための手段】
【０００５】
本発明の第１実施形態において、保持装置は、ベーストレイと、拡張トレイと、を含む。ベーストレイは、第１部分と、第２部分と、を有する。ベーストレイは、第１部分において、第１コネクタを有する第１ボードを保持することができる。拡張トレイは、ベーストレイの第２部分内に装着され、第１コネクタに面する第２コネクタを有する第２ボードを保持することができる。また、拡張トレイは、第２ボードを第１位置と第２位置との間で移行させる移行メカニズム（transition mechanism）を含むことができる。第１コネクタ及び第２コネクタは、第１位置において互いに係合し、第２位置において係合解除することができる。
【０００６】
いくつかの例において、ベーストレイは、コンピュータシャーシ内に装着される。
【０００７】
いくつかの例において、第１ボードは、グラフィックス処理ユニット（ＧＰＵ）ボードである。
【０００８】
いくつかの例において、第２ボードは、拡張ＰＣＩｅボードである。
【０００９】
いくつかの例において、遷移メカニズムは、レバーと、ピンと、を含むことができる。ピンは、第２ボードに隣接して配置することができる。レバーは、第１位置に移行する場合にピンを第１ボードに向けて押すことができ、第２位置に移行する場合にピンを第１ボードから引き離すことができる。
【００１０】
いくつかの例において、ベーストレイは、ロックメカニズムを含むことができる。ロックメカニズムは、保持装置をロード位置とアンロード位置との間で移行させるレバーを含むことができる。ベーストレイは、ロード位置でコンピュータシャーシと係合し、アンロード位置でコンピュータシャーシから外れる。
【００１１】
いくつかの例において、ロックメカニズムは、突出部（lip）と、ラッチ（latch）と、を含むことができる。突出部は、ロックメカニズムの第１端部上に存在してもよく、コンピュータシャーシの縁部と係合することができる。ラッチは、ロックメカニズムの第２端部上に存在してもよく、ベーストレイ上の開口部に接続してもよい。
【００１２】
本発明の第２実施形態は、シャーシボディと、保持装置と、を含むコンピュータシャーシを提供する。保持装置は、第１実施形態と同じ特徴を有することができる。
【００１３】
第２実施形態のいくつかの例において、第１ボードは、グラフィックス処理ユニット（ＧＰＵ）ボードであってもよい。第２ボードは、拡張ＰＣＩｅボードであってもよい。
【００１４】
第２実施形態のいくつかの例において、移行メカニズムは、レバーと、ピンと、を含むことができる。ピンは、第２ボードに隣接して配置することができる。レバーは、第１位置に移行する場合にピンを第１ボードに向けて押すことができ、第２位置に移行する場合にピンを第１ボードから引き離すことができる。
【００１５】
第２実施形態のいくつかの例において、ベーストレイは、ロックメカニズムを含むことができる。ロックメカニズムは、保持装置をロード位置とアンロード位置との間で移行させるレバーを含むことができる。ベーストレイは、ロード位置でシャーシボディと係合し、アンロード位置でシャーシボディから外れる。
【００１６】
いくつかの例において、ロックメカニズムは、突出部と、ラッチと、を含むことができる。突出部は、ロックメカニズムの第１端部上に存在してもよく、シャーシボディの縁部と係合することができる。ラッチは、ロックメカニズムの第２端部上に存在してもよく、ベーストレイ上の開口部に接続してもよい。
【００１７】
上述した概要は、本発明の各実施形態又はあらゆる態様を表すことを意図するものではない。むしろ、上述した概要は、単に、本明細書で説明するいくつかの新規な態様及び特徴の一例を提供する。本発明の上記の特徴及び利点と、他の特徴及び利点とは、添付の図面及び添付の特許請求の範囲を参照する場合に、本発明を実施する代表的な実施形態及びモードの以下の詳細な説明から容易に明らかになるであろう。
【発明の効果】
【００１８】
本発明によれば、全てのコンポーネントを除去しない状況下で、個々のコンポーネントを移動させることができる。
【００１９】
添付の図面は、本発明の実施形態を例示しており、説明と共に、本発明の原理を説明及び例示するのに用いる。図面は、例示的な実施形態の主な特徴を図式的に示すことを意図している。図面は、実際の実施形態の全ての特徴や、図示されたコンポーネント相対的な寸法を示すことを意図しておらず、縮尺通りに描かれていない。
【図面の簡単な説明】
【００２０】
【図１】従来のコンピュータシャーシ内に設けられるコンピュータコンポーネントを示す図である。
【図２】本発明の一実施形態による、例示的な保持装置を示す図である。
【図３】本発明の一実施形態による、例示的なベーストレイに設けられる第１ボードを示す図である。
【図４Ａ】本発明の一実施形態による、例示的なロックメカニズムの正面図である。
【図４Ｂ】本発明の一実施形態による、例示的なロックメカニズムの断面図である。
【図５Ａ】本発明の一実施形態による、例示的な拡張トレイに設けられる第２ボードを示す図である。
【図５Ｂ】本発明の一実施形態による、拡張トレイの例示的な第１位置を示す図である。
【図５Ｃ】本発明の一実施形態による、拡張トレイの例示的な第２位置を示す図である。
【図６】本発明の一実施形態による、部分的に設けられた例示的な保持装置を示す図である。
【発明を実施するための形態】
【００２１】
添付図面を参照しながら、本発明を説明する。図面全体を通して、類似又は同等の要素を示すために類似する参照符号が用いられる。図面は縮尺通りに描かれておらず、単に本発明を説明するために提供されている。本発明のいくつかの態様は、例示のために例示的な用途を参照して以下に説明される。本発明の完全な理解を提供するために、いくつかの特定の詳細、関係及び方法が説明されていることを理解されたい。しかし、当業者であれば、本発明が１つ以上の具体的な詳細無しに又は他の方法を利用して実施可能であることを容易に認識するであろう。他の例では、本発明を曖昧にすることを避けるために、周知の構造又は動作を詳細に示していない。いくつかの動作は、異なる順序及び／又は他の動作若しくは事象と同時に起こり得るので、本発明は、示された動作や事象の順序によって限定されない。さらに、本発明による方法を実施するために、例示された全ての動作や事象が必要とされているわけではない。
【００２２】
本発明は、ベーストレイと、拡張トレイと、を含む保持装置（holding apparatus）を提供する。ベーストレイは第１ボードを保持し、拡張トレイは第２ボードを保持する。拡張トレイは、第１コネクタ及び第２コネクタを介して、第１ボード及び第２ボードを機械的に接続及び接続解除するための移行メカニズムを含むことができる。拡張トレイは、第１ボードを保持装置から除去することなく、第２ボードを保持装置から取り外すことができる。また、保持装置は、保持装置をコンピュータシャーシ内にロックするロックメカニズムを含むことができる。これにより、コンピュータコンポーネントの安定性がさらに向上する。
【００２３】
図１は、従来のコンピュータシャーシシステム１００を示す図である。システム１００は、シャーシボディ１０２と、第１ボード１０４と、第１コネクタ１０６と、第２ボード１０８と、第２コネクタ１１０と、を有する。シャーシボディ１０２は、様々なコンピュータコンポーネント（例えば、第１ボード１０４及び第２ボード１０８）を保持することができる。いくつかの例において、第１ボード１０４はＧＰＵボードであってもよく、第２ボード１０８は拡張ＰＣＩｅボードであってもよい。第１ボード１０４は、第２ボード１０８上の第２コネクタ１１０に接続する第１コネクタ１０６を有することができる。第１コネクタ１０６と第２コネクタ１０８との間の接続は、第１コネクタ１０６と第２コネクタ１０８との間の電気接続を提供することができる。
【００２４】
システム１００は、従来のコンピュータシステムにおいて、コンピュータコンポーネント（例えば、第１ボード１０４及び第２ボード１０８）を、更なる保持装置や手段無しにコンピュータシャーシ１０２内に搭載して安定させることができることを示している。この更なる安定性の欠如によって、コンポーネント（例えば、第１ボード１０４及び第２ボード１０８）が、コンピュータシャーシ１０２の移動中にこれらの接続位置から外れる（jostled）可能性がある。また、システム１００は、コンポーネント１０４又は１０８の何れかを交換する必要がある場合に、両方をコンピュータシャーシ１０２から取り外さなければならないことを示している。
【００２５】
従来のコンピュータシャーシの制限に対応して、本発明は、第１コンピュータコンポーネント及び第２コンピュータコンポーネントをコンピュータシャーシ内で固定するように構成された保持装置を提供する。図２は、本発明の一実施形態による、例示的な保持装置を有するシステム２００を示す図である。システム２００は、図１のシステム１００と同様の多くのコンポーネント及びラベルを有することができる。また、システム２００は、ベーストレイ２２２と、拡張トレイ２２４と、を含むことができる。本発明の目的のために、コンピュータシャーシ１０２は、ハウジング内に配置されたコンピュータコンポーネントを有する任意のハウジングを含むことができる。
【００２６】
ベーストレイ２２２のサイズ及び形状は、コンピュータシャーシ１０２内に収まるように決めることができる。いくつかの例において、ベーストレイ２２２は、コンピュータシャーシ１０２内にスライド可能である。ベーストレイ２２２は、第１ボード１０４を受け入れるように構成された第１部分２２２ａと、拡張トレイ２２４を受け入れるように構成された第２部分２２２ｂと、を有することができる。拡張トレイ２２４は、第２コネクタ１１０が第１コネクタ１０６に隣接して配置されるように、第２ボード１０８を収容することができる。システム２００において、第１ボード１０４及び第２ボード１０８は、第１コネクタ１０６が第２コネクタ１１０に接続されてコンポーネント１０４，１０８間の通信を提供する第１位置に位置する。本発明の目的のために、図示するように、第１ボード１０４はＧＰＵボードであってもよく、第２ボード１０８は拡張ＰＣＩｅボードであってもよい。しかし、第２ボード１０８が第１ボード１０４に機械的及び電気的に接続するように設計されている限り、本発明に関して様々なコンポーネントを使用することができる。ある状況において、本発明は、第１ボード１０４のみを提供することができる。
【００２７】
よって、ベーストレイ２２２は、コンピュータシャーシ１０２内のコンポーネント１０４，１０８の移動が制限される固定保持装置を提供する。これにより、第２コネクタ１１０に対する第１コネクタ１０６の安定した取り付けを確保するとともに、２つのコンポーネント１０４，１０８間の電気通信リンクを維持する。ベーストレイ２２２及び拡張トレイ２２４のさらなる特徴及び利点を、図３〜図６に関連してさらに説明する。
【００２８】
図３は、本発明の一実施形態による、第１コンピュータボード１０４が例示的なベーストレイ２２２に搭載されるシステム３００を示す図である。システム３００は、図１及び図２のシステム１００，２００の各々に類似する多くのコンポーネント及びラベルを含むことができる。また、システム２００は、ロックメカニズム３００Ａを含むことができる。
【００２９】
図３は、第１ボード１０４が、第１部分２２２ａにおいてベーストレイ２２２にどのように搭載され得るかを示している。第１ボード１０４は、第１コネクタ１０６が第２部分２２２ｂに面する向きで搭載され得る。第１ボード１０４は、コンピュータシャーシ１０２の移動によって第１ボード１０４をその位置から動かさないように、ベーストレイ２２２内にスライドしてぴったりとフィットすることができる。例えば、第１ボード１０４は、第１ボード１０４をベーストレイ２２２上の定位置に固定するための１つ以上のコネクタ要素（図示省略）を有することができる。例えば、コネクタ要素は、ガイドピンコネクタ（guide pin connectors）であってもよい。
【００３０】
図３のロックメカニズム３００Ａは、図４Ａ及び図４Ｂの拡大図でより詳細に示されている。図４Ａはロック位置４００Ａの正面斜視図であり、図４Ｂはロック解除位置４００Ｂの断面図である。図４Ａ及び図４Ｂは、図３のシステム３００と同様の多くのコンポーネント及びラベルを含む。図４Ａ及び図４Ｂは、第１端部４３２と第２端部４３４とを有するレバー４４０と、ラッチ４３６と、開口部４３８と、突出部４４２と、コンピュータシャーシ１０２の縁部４５０と、をさらに含む。
【００３１】
ロックメカニズム３００Ａは、第１端部４３２と第２端部４３４とを含むレバー４４０を有することができる。また、第１端部４３２は、図４Ｂに示すように、突出部４４２を含むことができる。突出部４４２を、コンピュータシャーシ１０２の縁部４５０の後方に嵌め込むことができる。これにより、突出部４４２は、ベーストレイ２２２をコンピュータシャーシ１０２に固定することができる。また、ロックメカニズム３００Ａは、レバー４４０の第２端部４３４上にラッチ４３６を設けることができる。このラッチ４３６は、ベーストレイ２２２の開口部４３８によって受け入れられる。ラッチ４３６は、ロック位置４００Ａからロック解除位置４００Ｂに移行する場合に、ユーザによって開口４３８から取り外すことができる。これにより、ラッチ４３６は、ベーストレイ２２２をコンピュータシャーシ１０２に固定する場合に、さらなる安定性をもたらすことができる。
【００３２】
図５Ａ〜図５Ｃは、第２ボード１０８の様々な位置を示す図である。図５Ａは、第２ボード１０８及び拡張トレイ２２４の分解図５００Ａである。図５Ｂは、ベーストレイ２２２に挿入された拡張トレイ２２４の斜視図５００Ｂ（つまり、第１部分２２２ａに接続された第２部分２２２ｂ）である。図５Ｃは、移行メカニズム５６０の斜視図５００Ｃである。図５Ａ〜図５Ｃは、図１〜図４Ｂと同様の多くのコンポーネント及びラベルを含む。図５Ａ〜図５Ｃは、移行メカニズム５６０と、ピン５６２と、レバー５６４と、を含む。
【００３３】
図５Ａは、第２ボード１０８と拡張トレイ２２４との解図である。第２コネクタ１０８が、拡張トレイ２２４が第１ボード１０４とインタフェースする場所に面するように、第２ボード１０８を拡張トレイ２２４に搭載することができる。第２ボード１０８は、コンピュータシャーシ１０２の移動による干渉が最小になるように、拡張トレイ２２４内にスライドして、ぴったりとフィットすることができる。これにより、コンポーネント１０６，１１０が接続された場合に、（図５Ｃに示すように）第２ボード１０８と第１ボード１０４との間の固定したフィットがもたらされる。
【００３４】
さらに、図５Ａ〜図５Ｃは、ピン５６２レバー５６４を有する移行メカニズム５６０を示している。ユーザは、レバー５６４を操作して、第２ボード１０８を、係合位置と係合解除位置との間で移行させることができる。係合位置（図５Ｃ）において、第２コネクタ１１０は、第１コネクタ１０６と通信可能に接続されている。係合解除位置（図５Ｂ）において、第２コネクタ１１０は、第１コネクタ１０６と接続されていない。
【００３５】
ユーザは、レバー５６４を反時計回りに引くことによって、第２ボード１０８を係合解除位置（図５Ｂ）から係合位置（図５Ｃ）に移動させることができる。レバー５６４はピン５６２に接続されており、ピン５６２は第２ボード１０８に接続されている。これにより、レバー５６４の反時計回りの動きは、ピン５６２の外縁部に力を及ぼし、ピン５６２の内縁部（図示省略）を、第１ボード１０４に対して前方に移動させる。例えば、ピン５６２の内縁部は、ボード１０８の長さに沿った何れの場所にも存在し得る。ピン５６２は、移動中に第２ボード１０８と接続し、第２ボード１０８を係合位置（図５Ｃ）に押す。例えば、レバー５６４は、ピン５６２上でトルク（torque）を生じさせることができる。第２ボード１０８が係合位置（図５Ｃ）にある場合、ユーザは、レバー５６４を時計回りに引くことによって、第１ボード１０４を係合解除位置（図５Ｂ）に移動させることができる。レバー５６４は、ピン５６２を第１ボード１０４から離れるように後方に移動させ、これにより、第２ボード１０８を第１ボード１０４から引き離す。
【００３６】
よって、図５Ａ〜図５Ｃは、シャーシ１０２に現在収容されている全てのコンポーネントを取り外す必要無しに、ユーザがコンピュータシャーシ１０２に対して第２ボード１０８を容易に挿入及び取り外すのを可能にする移行メカニズムを示している。
【００３７】
図６は、コンピュータシャーシから保持装置全体を取り外すこと無く保持装置からコンポーネントを取り外すことができる位置６００での例示的な部分搭載された保持装置を示す図である。図６は、図１〜図５Ｃと同様の多くのコンポーネント及びラベルを含む。図６は、第２ボード１０８のみが露出するように、ユーザが、どのようにしてベーストレイ２２２をサーバシャーシ１０２から引き出すことができるかを示している。ユーザは、ベーストレイ２２２の縁部６０１を掴んで、ベーストレイ２２２をサーバシャーシ１０２から引き出すことができる。そして、ユーザは、第１ボード１０４をコンピュータシャーシ１０２から取り外す必要無しに、第２ボード１０８を取り外すか交換することができる。
【００３８】
以上のように、本発明の各種の実施形態について説明したが、これらは例示的なものであり、限定的なものではないことを理解されたい。開示された実施形態に対するいくつかの変更は、本発明の趣旨及び範囲から逸脱すること無く、本明細書にしたがって行うことができる。よって、本発明の広さや範囲は、上述した実施形態によって限定されるべきではない。むしろ、本発明の範囲は、以下の特許請求の範囲及びこれらの均等物にしたがって定義されるべきである。
【００３９】
本発明は、１つ以上の実施形態に関して図示及び説明されているが、当業者であれば、本明細書及び添付の図面を読んで理解すれば、同等の変更及び修正がなされるであろう。また、本発明の特定の特徴を、いくつかの実施形態のうち１つのみに関して開示したが、かかる特徴は、他の実施形態の１つ以上の他の特徴と組み合わされてもよいし、所定又は特定の用途に望まれ、有利であってもよい。
【００４０】
本明細書で用いられる用語は、特定の実施形態を説明することを目的としており、本発明を限定することを意図していない。本明細書で使用されているように、「一」、「１つの」、「この」という単数形は、文脈が他のことを明確に示さない限り、複数形も含むことが意図されている。さらに、「含む」、「有する」やこれらの変化形が、詳細な説明及び／又は特許請求の範囲に用いられており、このような用語の意味は、「備える」という用語と同様に包括的であることを意図している。
【００４１】
特に定義されない限り、本明細書で用いられる全ての用語（技術用語及び科学用語を含む）は、当業者によって一般に理解されるのと同じ意味を有する。さらに、一般的に使用される辞書において定義されるような用語は、関連技術の文脈におけるこれらの意味と一致する意味を有するものとして解釈されるべきであり、本明細書において明示的に定義されない限り、理想化された意味又は過度に形式的な意味で解釈されない。
【符号の説明】
【００４２】
１００…システム
１０２…シャーシボディ
１０４…第１ボード
１０６…第１コネクタ
１０８…第２ボード
１１０…第２コネクタ
２００…システム
２２２…ベーストレイ
２２２ａ…第１部分
２２２ｂ…第２部分
２２４…拡張トレイ
３００…システム
３００Ａ…ロックメカニズム
４００Ａ…ロック位置
４３２…第１端部
４３４…第２端部
４３６…ラッチ
４３８…開口部
４４０…レバー
４５０…縁部
４００Ｂ…解除位置
４４２…突出部
５００Ａ…分解図
５６０…移行メカニズム
５６２…ピン
５６４…レバー
５００Ｂ…斜視図
５００Ｃ…斜視図
６００…位置
６０１…縁部
【図１】
2020035741.tif 000003
【図２】
2020035741.tif 000004
【図３】
2020035741.tif 000005
【図４Ａ】
2020035741.tif 000006
【図４Ｂ】
2020035741.tif 000007
【図５Ａ】
2020035741.tif 000008
【図５Ｂ】
2020035741.tif 000009
【図５Ｃ】
2020035741.tif 000010
【図６】
2020035741.tif 000011